【事件の表示】
　特許第２９５３５７９号「遊技機」の特許に対する特許異議の申立てについて、次のとおり決定する。
【結　論】
　特許第２９５３５７９号の特許を維持する。
【理　由】
１．手続の経緯
　本件特許第２９５３５７９号は，昭和６３年１０月７日出願の特願昭６３−２５４５８３号の一部を新たな出願とした特願平７−２６１８８７号の一部を更に新たな出願とした特願平７−２８６２０１号の一部を重ねて新たな出願とした特願平７−３１５６９８号の一部をまた更に新たな出願とした特願平１０−３０４３８３号に係り、特許法第４４条第２項の規定により、昭和６３年１０月７日に出願したものとみなされるものである。（なお、特許第２８７２９５３号に係る願書（下記甲第７号証）の【出願日又は手続補正書提出日】平成７年１１月２日、及び、本件特許公報（下記甲８号証）に記載された出願日平成７年（１９９５）１２月４日は、誤記であって、正しくは昭和６３年（１９８８）１０月７日である。）
　そして、本件特許第２９５３５７９号は平成１１年７月１６日に設定登録され、その後、特許異議申立人河井清悦より特許異議の申立てがなされたものである。
　
２.本件発明
　本件特許の請求項１に係る発明（以下、本件発明という。）は、その特許請求の範囲の請求項１に記載された事項により特定される次のとおりのものである。
「【請求項１】複数の入賞領域、および電気的遊技装置を各々配設し、遊技機本体に対して着脱分離可能に構成された遊技盤と、
前記複数の入賞領域の何れかに入賞して集められた入賞球を１個宛検出可能な入賞球検出手段と、
を備え、
前記入賞領域への遊技球の入賞に基づき所要量の賞価値を付与可能な遊技機において、
前記電気的遊技装置の遊技動作を制御する遊技制御回路と、前記賞価値の付与に関わる制御を行う賞価値付与制御回路とを個別に分離構成せしめるとともに、該賞価値付与制御回路を前記遊技機本体の裏側所定部位に配設し、
前記複数の入賞領域のうち特定の入賞領域ヘ入賞した入賞球を検出する特定入賞球検出手段を前記入賞球検出手段の上流側に設け、
前記遊技制御回路は、
前記入賞球検出手段からの検出信号に基づいて前記特定入賞球検出手段からの入賞記憶信号が有る場合の第１の賞価値量と、前記入賞球検出手段からの検出信号に基づいて前記特定入賞球検出手段からの入賞記憶信号が無い場合の第２の賞価値量とを予め定められている異なる賞価値量に設定する賞価値量設定手段を備えて、
前記賞価値量設定手段で設定された賞価値量を前記遊技制御回路から前記賞価値付与制御回路に対して供給可能に構成するとともに、該賞価値量に関わるデータを該遊技制御回路から該賞価値付与制御回路に向けて単一方向にのみ送信するように構成したことを特徴とする遊技機。」
　
３．申立ての理由の概要
　特許異議申立人河井清悦は、証拠方法として甲第１号証（特開平６−７１０３０号公報）、甲第２号証（特開昭６３−１４５６８８号公報）、甲第３号証（特開昭６２−１２０８６６号公報）、甲第４号証（特開平１−１７１５８５号公報）、甲第５号証（特開平１−２７０８８５号公報）、甲第６号証（実願昭６２−１１１７７２号（実開昭６４−１９４８１号）の願書に最初に添付した明細書及び図面の内容を撮影したマイクロフィルム）、甲第７号証（特願平７−３１５６９８号願書）及び甲第８号証（特許第２８７２９５３号特許公報）を提出し、本件発明は、甲第１号証の刊行物に記載された発明であるから、特許法第２９条第１項第３号に該当し、特許法第１１３条第２号の規定により取り消すべきものであり、また、本件発明は、甲第２号証及び甲第３号証の刊行物に記載された発明に基いて、当業者が容易に発明をすることができたものであるから、特許法第２９条第２項の規定に該当し、特許法第１１３条第２号の規定により取り消すべきものである旨主張している。　
　
４．甲各号証の頒布について
　ところで、本件発明は、前述のとおり、昭和６３年１０月７日に出願したものとみなされるものであるから、特許異議申立人が提出した甲各号証のうち、本件発明の特許出願前に頒布された刊行物は甲第２号証及び甲第３号証のみであり、本件発明は、甲第２号証及び甲第３号証の刊行物に記載された発明に基づいて、当業者が容易に発明をすることができたものであるか否かを判断すれば足りる。
５．甲第２号証及び甲第３号証の記載事項
(5-1)甲第２号証（特開昭６３−１４５６８８号公報）の記載事項
「この発明の目的は、補助遊技装置の起動の条件となる特定入賞口への遊技球の入賞確率が高くなるように調整してもパチンコ店の経営が成り立つ・・・パチンコ遊技機を提供することにある。」（第２頁右下欄第１０〜１７行）、
「上記手段によれば、特定の入賞口へ入賞した遊技球に対しては、他の一般の入賞口へ入賞した遊技球に対して払い出される賞品球よりも少ない数の賞品球を排出させるように賞品球排出装置をコントロールすることができる。」（第３頁左上欄第１２〜１６行）、
「第２図は、本発明が適用されるパチンコ遊技機の前面の構成例を示すもので、遊技盤１の前面には、下部の操作ダイヤル２ａにより駆動される打球発射装置２によって発射された打球を遊技盤１の上方部まで案内するガイドレール３が配設され、遊技盤１前面のガイドレール３とガラス板とによって囲まれた空間に遊技領域が構成されている。そして、この遊技領域の中央には、補助遊技装置としての可変表示装置４が、またその下方には通常は遊技領域の一部を成しているが、可変表示装置４における特定態様の発生により入賞領域に変換する変動入賞装置５が設けられている。」（第３頁左上欄第２０行〜右上欄第１２行）、
「これら特定入賞口７又は８中に打球が入賞したときは、後述のごとく、賞品球の排出個数が「５個」になる」（第３頁左下欄第７行〜第９行）、
「上記特定入賞口７，８以外の入賞口６ａ、６ｂ、６ｃおよびチューリップ式打球入賞装置９中に打球が入賞したときは賞品球の排出個数は「１３個」となる。」（第３頁左下欄第１８行〜右下欄第１行）、
「また、一対の第１特定入賞口７に対応してそれぞれ遊技盤の裏面には、入賞球導出樋４３と４４が配設されている。入賞球導出樋４３と４４により誘導された入賞球は、・・・制御板４６上に流下されるようになっている。この制御板４６の一側に設けられた垂下部４６ａの途中には、特定入賞検出器３３が取り付けられ、玉出口１Ｄ，１Ｅおよび１Ｆから流出した特定入賞球を検出するようになっている。なお、３１で示されているのが前述した変動入賞装置５の受口に入賞したすべての遊技球を検出する入賞検出器で、３２で示されているのが、受口内の特別条件構成領域に入賞した球を検出する特別条件検出器である。」（第５頁左上欄第９行〜右上欄第３行）、
「第４図には、上記球鞘ケース７７を主体とする賞品球排出装置の詳細を示す。遊技盤１の裏面に接合され、上記裏機構（第１図）を保持する裏機構盤１１０の上部には、第２賞球数設定手段４０を構成するホルダ４１が固定されている。・・・これによって、この一対の規制片４３ａ，４３ｂを取付ける支柱４２を選択することにより、球鞘ケース７７の収納部内に流入される球の数つまり一回に排出される賞品球の数を変えることができるようになっている。・・・なお、球鞘ケース７７の下方には、上記ソレノイド９０や９２等を駆動制御する制御装置１３０が配設されている。」（第６頁左上欄第４行〜左下欄第１７行）、
「第７図には、上記実施例のように構成された裏機構において、制御装置１３０によりソレノイド９０および９２を駆動制御する場合のタイミングの一例が示されている。このタイミング図において、セーフセンサと記されているのは第３図に示されている特定入賞検出器３３に、また連チャンセンサと記されているのは第６図における入賞球処理装置７８に対応して設けられている入賞検出器３５に相当する。さらに、リミットＳＯＬと記されているのは球鞘ケース７７の第１賞球設定手段としてのストッパ９１の駆動用ソレノイド９２に、またダンパＳＯＬと記されているのは、入賞球処理装置７８の復帰用のソレノイド９０に相当する。なお、セーフメモリは、特定入賞検出器３３（セーフメモリ）からの検出パルスを計数して記憶するメモリもしくはカウンタで、例えば制御装置１３０内に設けられている。この実施例では、セーフセンサの立上りがあると速やかにリミットソレノイド９２をオンさせてストッパ９１の係止爪９１ａを球鞘ケース７７内に突出させる。すると、球鞘ケースが傾動されたとき通常よりも少ない例えば５個の賞品球が排出される。」（第７頁右下欄第８行〜第８頁左上欄第１１行）、
「一方、セーフセンサ３３からの検出パルスが無いときに入賞球が入賞球処理装置７８に入ってくると、リミットソレノイド９２がオフされたまま賞品球排出装置が作動され、通常の個数（例えば１３個）の賞品球が排出されるとともに、ダンパソレノイド９０は作動されないようにしてある。」（第８頁右上欄第１８行〜左下欄第３行）、
「なお、排出動作中に更に特定入賞球が発生し、セーフセンサ３３からの検出パルスがあると、セーフメモリの入賞記憶数が加算されるようになっている。そして、その入賞記憶数が「０」になるまで優先的に、数の少ない賞品球の排出（以下、小排出と称する）を実行するようになっている。」（第８頁左下欄第１６行〜右下欄第１行）。
　
(5-2)甲第３号証（特開昭６２−１２０８６６号公報）の記載事項
「この発明の目的は、パチンコ店において遊技盤を新しいものと取り替える場合のコストを低減するとともに、取替え作業も簡単に行えるようにすることにある。」（第２頁左上欄第１６〜１９行）、
「さらに、球貸機本体６０内には、一枚のコインに対する貸球数や一個の入賞球に対する賞品球数、貯留タンク６１が空になったときの補給数等を設定するためのスイッチボックス７３およびスイッチボックス７３内の設定値や上記コイン検出器７２からの信号に基づいて球排出装置６３を制御する制御ボックス７４が設けられている。」（第６頁右上欄第１７行〜左下欄第３行）、
「この実施例の兼用型球貸機を使用する場合には、第１２図に示すように、両サイドに配設されるパチンコ遊技機１００ａ、１００ｂの裏機構盤に、球貸機６０側に向かって延設され、先端開口部が前記球排出装置６３の左右の出口８８ａと８８ｂにそれぞれ対向するような賞品球導出樋４８ａ、４８ｂを設けてやる。また、各遊技機に設けられた検出器や駆動源との接続を行う中継器１１０から引き出されたリード線１１１と、制御ボックス７４から引き出されたリード線７４ａとをコネクタを介して接線してやる。このようにすれば、各パチンコ遊技機にはそれぞれ賞品球排出装置を設ける必要がない。その結果、パチンコ遊技機の機種を交換する場合にも、裏機構の主要部はそのままにして、前面の遊技盤のみを交換するだけでよく、台の入替えに要する費用が少なくて済む。」（第７頁左上欄第２０行〜右上欄第第１６行）、
「第１３図には、上記制御ボックス７４内の制御装置の構成例を示す。この制御装置２００は、マイクロコンピュータ等からなる中央処理部２０１を有しており、中央処理部２０１はＲＯＭ（リード・オンリ・メモリ）のようなプログラムメモリ２０２内に格納されたプログラムの命令を順次読み込んで実行し、所定の排出処理制御を行う。プログラム実行に際して必要な賞品球数や貸球数のような排出球数に関するデータは、外部の設定器から読み込んでＲＡＭ（ランダム・アクセス・メモリ）のようなデータメモリ２０３内に保持する。制御装置２００には、上記実施例における球貸機６０内のコイン検出器７２や球排出装置６３内の流下球検出器５からの検出信号および両サイドのパチンコ遊技機１００ａ，１００ｂ内のセーフ球検出器１０１ａ，１０１ｂやアウト球検出器１０２ａ，１０２ｂ等からの検出信号が入力されており、その信号は入力ポート２１１，２１２を介して中央処理部２０１に供給される。」（第７頁左下欄第１７行〜右下欄第１６行）、
「左側のパチンコ遊技機１００ａのセーフ球検出器１０１ａからの検出信号が入って来ると、出力ポート２２２よりドライバ２３１，２３２へ制御信号を送って、流路切換え装置８０のシャツタ８１ａのソレノイドＳＯＬＡを駆動して、シャツタ８１ａを傾倒させるとともに、排出用のソレノイドＳＯＬ３を駆動して、所定数の賞品球をパチンコ遊技機１００ａの賞品球導出樋４８ａへ排出させる。同様に、右側のパチンコ遊技機１００ｂからのセーフ球検出信号が入って来ると、ソレノイドＳＯＬ３とＳＯＬＢを駆動して右側の遊技機の賞品球導出樋４８ｂへ所定数の賞品球を排出させる。」（第８頁右上欄第７〜１９行）、
「パチンコ遊技機自体に賞品球排出装置をもたせなくて済むようになり、これによって遊技機を新しいものと取り替える場合のコストを軽減することができるとともに、遊技機の裏機構の構成が簡単になるため交換作業も容易になるという効果がある。」（第９頁右上欄第１〜６行）。
　
６．対比・判断
　本件発明と上記の甲第２号証に記載された発明とを対比すると、少なくとも、本件発明の特定事項である、(a)「電気的遊戯装置の遊技動作を制御する遊技制御回路と、賞価値の付与に関わる制御を行う賞価値付与制御回路とを個別に分離構成せしめるとともに、該賞価値付与制御回路を前記遊技機本体の裏面所定部位に配設」した点が、記載されていない。
　すなわち、甲第２号証には、制御回路（制御装置１３０）が設けられているが、該制御装置を、電気的遊戯装置の遊技動作を制御する遊技制御回路と、賞価値の付与に関わる制御を行う賞価値付与制御回路とを個別に分離構成せしめる構成は記載されていない。
　異議申立人は、「甲第２号証には、遊技制御回路に該当する制御装置１３０と、賞価値付与制御回路に該当する球鞘ケース７７を主体とする賞品球排出装置と、を遊技機裏側の異なる位置に個別に分離構成することが開示されている。」（申立書第４４頁第１８〜２０行）と主張しているが、甲第２号証記載の制御装置１３０は、ソレノイド９０や９２等をも駆動制御しており（第６頁第１５〜１７行参照）、賞価値付与制御回路をも含むから、「球鞘ケース７７を主体とする賞品球排出装置」が賞価値付与制御回路に該当するとはいえず、この誤った認定を根拠にして「甲第２号証には、遊技制御回路と賞価値付与制御回路とを遊技機裏側の異なる位置に個別に分離構成することが開示されている。」とする申立人の主張は理由がない。
　上記相違点(a)を検討するために甲第３号証をみると、甲第３号証には、遊技盤のみを交換することは記載されているものの、遊技盤とは別体の球貸し機本体６０の制御ボックス７４内の制御装置２００には、賞品球数に関するデータを外部の設定器から読み込むＲＡＭのようなデータメモリ２０３が設けられ（第１２、１３図、第７頁右下欄第４〜８行参照）、該制御装置２００には、パチンコ遊技機１００ａ、１００ｂのセーフ球検出器１０１ａ、１０１ｂからの検出信号が直接入る（第８頁右上欄第７〜１９行）ことから、本件発明の遊技制御回路と賞価値付与制御回路とが、遊技盤とは別体の球貸し機本体６０の制御ボックス７４内の制御装置２００に設けられているものであり、本件発明の賞価値付与制御回路が遊技機本体に配設されたものではないから、甲第３号証には、上記相違点(a)は記載されていない。
　そして、本件発明は、上記相違点(a)の構成を採用することにより、明細書に記載されたとおりの、遊技制御回路を遊技盤固有の回路として、賞価値付与制御回路を複数種類の賞価値付与形態の遊技盤に対し、汎用性を有する回路として各々構成することができ、遊技盤を交換する際に、遊技盤とそれに付随する遊技制御回路を交換するだけで、賞価値付与制御回路を交換しないで各遊技盤で共通に使用することができるようになる（【0322】）という格別の効果を奏する。
　したがって、本件発明は、甲第２号証及び甲第３号証の刊行物に記載された発明に基いて、当業者が容易に発明をすることができたものであるとは認められない。
　
６．むすび
　以上のとおりであるから、特許異議の申立ての理由によっては本件発明についての特許を取り消すことはできない。
　また、他に本件発明についての特許を取り消すベき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年８月３１日（２０００．８．３１）